(57)【要約】【課題】残像を低減し、衝撃及び騷音の吸収、さらに軽量化に適したＰＤＰを提供する。【解決手段】上板及び下板からなるパネル部と、回路物を支持するフレームと、前記パネル部と前記フレームとの間に形成された導電性物質と、を備える。【選択図】図３
2005202411.tif 000002
【特許請求の範囲】
【請求項１】
上板及び下板からなるパネル部と、
前記パネル部を支持するフレームと、
前記パネル部と前記フレームとの間に形成された導電性物質と、を備えることを特徴とするプラズマディスプレイパネル。
【請求項２】
.
前記導電性物質は、少なくとも一部に接着力を有する導電性シートであることを特徴とする請求項１記載のプラズマディスプレイパネル。
【請求項３】
前記導電性物質の一面には、パネルから発生した電磁波が周辺機器または周辺回路に影響を及ぼすことを防止し得る絶縁性シートが粘着することを特徴とする請求項２記載のプラズマディスプレイパネル。
【請求項４】
前記導電性物質の一面には柔軟性のあるシートが粘着することを特徴とする請求項１記載のプラズマディスプレイパネル。
【請求項５】
前記導電性物質は、パネルの一面に膜状で塗布され前記パネルと一体である属膜であることを特徴とする請求項１記載のプラズマディスプレイパネル。
【請求項６】
前記金属膜は、スプレー式、ペイント式またはスパッタリング式のいずれか一つの方式で形成されることを特徴とする請求項５記載のプラズマディスプレイパネル。
【請求項７】
前記導電性物質は、導電性ペーストを用いた印刷方式で形成されることを特徴とする請求項１記載のプラズマディスプレイパネル。
【請求項８】
前記導電性物質は、銀Ａｇ、銅Ｃｕ、アルミニウムＡｌのいずれか一つまたはそれ以上の素材からなることを特徴とする請求項１記載のプラズマディスプレイパネル。
【請求項９】
前記導電性物質は、フローティング状態に積層されることを特徴とする請求項１記載のプラズマディスプレイパネル。
【請求項１０】
前記導電性物質は、周辺機器または周辺回路と接地されることを特徴とする請求項１記載のプラズマディスプレイパネル。
【請求項１１】
放電空間が上板と下板との間に設けられたパネル部と、前記パネル部と対面するフレームとを持つプラズマディスプレイパネルにおいて、
シリコン、ウレタンフォーム及びアクリルのうち少なくともいずれか一つを含むシートと、
前記シート上に積層された少なくとも一つの金属層と、を備え、
前記金属層が積層されたシートは、前記パネル部と前記フレームとの間に位置することを特徴とするプラズマディスプレイパネル。
【請求項１２】
前記金属層と前記パネル部を粘着させるための粘着層をさらに備えることを特徴とする請求項１１記載のプラズマディスプレイパネル。
【請求項１３】
前記粘着層、前記金属層及び前記シートの全厚は０.２以上１ｍｍ以下であることを特徴とする請求項１２記載のプラズマディスプレイパネル。
【請求項１４】
前記粘着層、前記金属層及び前記シートの全厚は０.６ｍｍ以上０.９５ｍｍ以下であることを特徴とする請求項１２記載のプラズマディスプレイパネル。
【請求項１５】
前記シートは、発泡処理されたアクリルを含むことを特徴とする請求項１１記載のプラズマディスプレイパネル。
【請求項１６】
前記ウレタンフォームは、
多数の微細孔を含み、
前記微細孔内に前記シリコン及び前記アクリルの少なくともいずれか一つが充填されることを特徴とする請求項１１記載のプラズマディスプレイパネル。
【請求項１７】
前記シートの硬度は、アスカー(Asker)−Ｃ測定基準１５〜３０であることを特徴とする請求項１１記載のプラズマディスプレイパネル。
【請求項１８】
前記シートの硬度は、アスカー(Asker)−Ｃ測定基準２０以上２５以下であることを特徴とする請求項１７記載のプラズマディスプレイパネル。
【請求項１９】
前記金属層は、銀Ａｇ、銅Ｃｕ、アルミニウムＡｌのうちいずれか一つ以上を含むことを特徴とする請求項１１記載のプラズマディスプレイパネル。
【請求項２０】
前記金属層の厚さは０.０１ｍｍ以上０.３ｍｍ以下であることを特徴とする請求項１９記載のプラズマディスプレイパネル。
【請求項２１】
前記金属層は多数のスリットを含むことを特徴とする請求項１１記載のプラズマディスプレイパネル。
【請求項２２】
前記スリットの幅は０.０５ｍｍ以上１ｍｍ以下を含むことを特徴とする請求項２１記載のプラズマディスプレイパネル。
【請求項２３】
前記アクリルは粘着性を持つことを特徴とする請求項１１記載のプラズマディスプレイパネル。
【請求項２４】
前記アクリルは発泡処理されたことを特徴とする請求項２３記載のプラズマディスプレイパネル。
【請求項２５】
前記シートは、前記粘着性アクリル中に形成されている多数の微細孔を持つことを特徴とする請求項２４記載のプラズマディスプレイパネル。
【請求項２６】
前記金属層は、前記電気的にフローティング状態であることを特徴とする請求項１１記載のプラズマディスプレイパネル。
【請求項２７】
前記金属層は、基底電圧に接地されたことを特徴とする請求項１１記載のプラズマディスプレイパネル。
【請求項２８】
前記シートは、グレーの色調を呈することを特徴とする請求項１１記載のプラズマディスプレイパネル。
【請求項２９】
放電空間が上板と下板との間に設けられたパネル部と、前記パネル部と対面するフレームとを持つプラズマディスプレイパネルにおいて、
シリコン、ウレタンフォーム及びアクリルのうち少なくともいずれか一つを含むシートを備え、
前記シートは、前記パネル部と前記フレームとの間に位置することを特徴とするプラズマディスプレイパネル。
【請求項３０】
前記シートと前記パネル部を粘着させるための粘着層をさらに備えることを特徴とする請求項２９記載のプラズマディスプレイパネル。
【請求項３１】
前記粘着層を含む前記シートの厚さは１ｍｍ以下であることを特徴とする請求項３０記載のプラズマディスプレイパネル。
【請求項３２】
前記粘着層を含む前記シートの厚さは０.６ｍｍ以上０.９５ｍｍ以下であることを特徴とする請求項３０記載のプラズマディスプレイパネル。
【請求項３３】
前記ウレタンフォームは、
多数の微細孔を含み、
前記微細孔内に前記シリコン及び前記アクリルの少なくともいずれか一つが充填されることを特徴とする請求項２９記載のプラズマディスプレイパネル。
【請求項３４】
前記シートの硬度は、アスカー(Asker)−Ｃ測定基準１５以上３０以下であることを特徴とする請求項２９記載のプラズマディスプレイパネル。
【請求項３５】
前記シートの硬度は、アスカー(Asker)−Ｃ測定基準２０以上２５以下であることを特徴とする請求項３４記載のプラズマディスプレイパネル。
【請求項３６】
前記シートは、発泡処理されたアクリルを含むことを特徴とする請求項２９記載のプラズマディスプレイパネル。
【請求項３７】
前記アクリルは粘着性を持つことを特徴とする請求項３６記載のプラズマディスプレイパネル。
【請求項３８】
前記シートは、前記アクリル中に形成されている多数の微細孔を持つことを特徴とする請求項３７記載のプラズマディスプレイパネル。
【請求項３９】
前記シートは、グレーの色調を呈することを特徴とする請求項２９記載のプラズマディスプレイパネル。
【請求項４０】
放電空間が上板と下板との間に設けられたパネル部と、前記パネル部と対面するフレームとを持つプラズマディスプレイパネルにおいて、
シリコン、ウレタンフォーム及びアクリルのうち少なくともいずれか一つを含むシートと、
互いに対向する前記シートと前記下板の対向面との間に形成された少なくとも一つの金属層と、を備え、
前記シートの硬度はアスカー(Asker)−Ｃ測定基準１５以上３０以下であり、前記下板の対向面から前記シートまでの全厚は０.２以上１mm以下であることを特徴とするプラズマディスプレイパネル。
【請求項４１】
前記金属層と前記下板との間にこれらを粘着させるための粘着層をさらに備えることを特徴とする請求項４０記載のプラズマディスプレイパネル。
【請求項４２】
前記下板の対向面から前記シートまでの全厚は、前記粘着層、前記金属層及び前記シートの全厚であることを特徴とする請求項４１記載のプラズマディスプレイパネル。
【請求項４３】
前記粘着層、前記金属層及び前記シートの全厚は、０.６ｍｍ以上０.９５ｍｍ以下であることを特徴とする請求項４２記載のプラズマディスプレイパネル。
【請求項４４】
前記ウレタンフォームは、
多数の微細孔を含み、
前記微細孔内に前記シリコン及び前記アクリルの少なくともいずれか一つが充填されることを特徴とする請求項４０記載のプラズマディスプレイパネル。
【請求項４５】
前記シートの硬度は、アスカー(Asker)−Ｃ測定基準２０以上２５以下であることを特徴とする請求項４０記載のプラズマディスプレイパネル。
【請求項４６】
前記金属層は、銀Ａｇ、銅Ｃｕ、アルミニウムＡｌのうちいずれか一つ以上を含むことを特徴とする請求項４０記載のプラズマディスプレイパネル。
【請求項４７】
前記金属層の厚さは０.０１ｍｍ以上０.３ｍｍ以下であることを特徴とする請求項４６記載のプラズマディスプレイパネル。
【請求項４８】
前記金属層は多数のスリットを含むことを特徴とする請求項４０記載のプラズマディスプレイパネル。
【請求項４９】
前記スリットの幅は０.０５ｍｍ以上１ｍｍ以下を含むことを特徴とする請求項４８記載のプラズマディスプレイパネル。
【請求項５０】
前記シートは、発泡処理されたアクリルを含むことを特徴とする請求項４０記載のプラズマディスプレイパネル。
【請求項５１】
前記アクリルは粘着性を持つことを特徴とする請求項５０記載のプラズマディスプレイパネル。
【請求項５２】
前記シートは、前記アクリル中に形成されている多数の微細孔を持つことを特徴とする請求項５１記載のプラズマディスプレイパネル。
【請求項５３】
前記金属層は、前記電気的にフロート状態であることを特徴とする請求項４０記載のプラズマディスプレイパネル。
【請求項５４】
前記金属層は、基底電圧に接地されたことを特徴とする請求項４０記載のプラズマディスプレイパネル。
【請求項５５】
前記シートは、グレーの色調を呈することを特徴とする請求項４０記載のプラズマディスプレイパネル。
【発明の詳細な説明】
【技術分野】
【０００１】
本発明は、プラズマディスプレイパネルに係り、特に、パネルの下板底面に導電性物質を形成することにより、下板に流入する電荷を適切に調節してパネルの波形安定性を図り、チャージ(charge)特性を改善して安定した動作を実現するような残像改善のためのプラズマディスプレイパネルに関する。また、本発明は、衝撃及び騷音を吸収し、しかも軽量化に適したプラズマディスプレイパネルに関する。
【背景技術】
【０００２】
近年、ＨＤＴＶ（高精細テレビ：High Definition Television）の開発が一部完了し、これに対する改善が研究され続ける過程で画像表示装置（または映像表示装置）の重要性がさらに高まっている。このような画像表示装置の種類としては、すでに周知されているように、カラー陰極選管ＣＲＴ、液晶表示装置ＬＣＤ、蛍光表示装置ＶＦＤ、プラズマディスプレイパネル（Plasma Display Panel：以下、「ＰＤＰ」という）などが挙げられる。
しかし、ＨＤＴＶの開発に関連して、最適の表示素子として技術的完成度が十分でないため、互いに異なる位置で相互に補完関係を維持しながら発展してきている。
【０００３】
前記画像表示装置のうちＰＤＰは、ガス放電現象を用いて画像を表示するもので、当該分野で最も良好な解像度及び照度比を有しており、応答速度が早いうえ、大きいサイズの画像を表示するのに適していることから、テレビ、モニター、屋内外の広告用表示板などに幅広く用いられている。
【０００４】
図１は、一般的なＰＤＰを示す分解斜視図であり、図２は一般的なＰＤＰの結合状態を示す断面図である。
【０００５】
図１及び図２を参照すると、ＰＤＰは画像がディスプレイされる表示面である前面基板１０と背面を構成する背面基板２０が、一定の距離をおいて平行に結合している。
前記前面基板１０上には、一つの画素で相互間放電によってセルの発光を維持するための一対の維持電極１１が配置される。前記維持電極１１は放電電流を制限しつつ電極対の間を絶縁させる誘電層１２で覆われ、その上には保護層１３が形成される。
【０００６】
前記背面基板２０上には、複数の放電空間、すなわち、セルを形成するためのストライプ状の隔壁２１が平行に配設される。また、前記背面基板２０上には、前記維持電極１１と交差する部分でアドレス放電を行い真空紫外線を発生させる複数のアドレス電極２２が、隔壁２１に対して平行に配置される。
【０００７】
さらに、前記背面基板の上面には、前記隔壁２１の上端面を除いて、アドレス放電時に画像表示のための可視光を放出するＲ、Ｇ、Ｂ蛍光層２３が塗布される。
【０００８】
しかし、このようなＰＤＰは残像が発生する問題を抱いている。例えば、特定の映像を一定の時間以上再生した後、他の映像に切り替わるとき、前の映像から切り替わるのに時間が数分〜数十分かかることはもとより、しかも映像の切り替え時に前の映像がオーバー
ラップ(overlap)され、良好な画質が得られないという不具合がある。
【０００９】
また、ＰＤＰは騷音がひどく、衝撃に弱い上に、比較的重いという不具合がある。
【発明の開示】
【発明が解決しようとする課題】
【００１０】
本発明に係るＰＤＰは、上板及び下板からなるパネル部と、回路物を支持するフレームと、前記パネル部と前記フレームとの間に形成された導電性物質と、を備える。
前記導電性物質は少なくとも一部に接着力がある。
【００１１】
前記導電性物質の一面には、パネルから発生した電磁波が周辺器具物または回路物に影響を及ぼすことを防止し得る絶縁性シートが粘着する。
【００１２】
前記導電性物質の一面には柔軟性のあるシートが粘着する。
【００１３】
前記導電性物質は、別に形成されて粘着するものではなく、パネルの一面に膜状で塗布される金属膜である。
【００１４】
前記金属膜は、スプレー式、ペイント式またはスパッタリング式のいずれか一つの方式で形成される。
【００１５】
前記導電性物質は、導電性ペーストを用いた印刷方式で形成される。
【００１６】
前記導電性物質は、銀Ａｇ、銅Ｃｕ、アルミニウムＡｌのいずれか一つまたはそれ以上の素材からなる。
【００１７】
前記導電性物質は電気的にフロート状態である。
【００１８】
前記導電性物質は周辺器具物または回路物と接地される。
【００１９】
本発明に係るＰＤＰは、シリコン、ウレタンフォーム及びアクリルのうちいずれか少なくとも一つを含むシートと、前記シート上に積層された少なくとも一つの金属層と、を備える。
【００２０】
前記金属層が積層されたシートは、前記パネル部と前記フレームとの間に位置する。
【００２１】
前記ＰＤＰは、前記金属層と前記パネル部を粘着させるための粘着層をさらに備える。
【００２２】
前記粘着層、前記金属層及び前記シートの全厚は０．２〜１ｍｍである。
【００２３】
前記粘着層、前記金属層及び前記シートの全厚は０.６ｍｍ〜０.９５ｍｍである。
【００２４】
前記ウレタンフォームは多数の微細孔を含む。
【００２５】
前記微細孔内に前記シリコン及び前記アクリルの少なくともいずれか一つが充填される。
【００２６】
前記粘着層、前記金属層及び前記シートの硬度はアスカー(Asker)−Ｃ測定基準１５〜３０である。
【００２７】
前記粘着層、前記金属層及び前記シートの硬度はアスカー(Asker)−Ｃ測定基準２０〜２５である。
【００２８】
前記金属層は、銀Ａｇ、銅Ｃｕ、アルミニウムＡｌのいずれか一つ以上を含む。
【００２９】
前記金属層の厚さは０.０１ｍｍ〜０.３ｍｍである。
【００３０】
前記金属層は多数のスリットを含む。
【００３１】
前記スリットの幅は０.０５ｍｍ〜１ｍｍである。
【００３２】
前記アクリルは粘着性を持つ。
【００３３】
前記シートは、前記粘着性アクリル中に形成されている多数の微細孔を持つ。
【００３４】
前記シートはグレーの色調を呈する。
【００３５】
本発明に係るＰＤＰは、シリコン、ウレタンフォーム及びアクリルのうち少なくともいずれか一つを含むシートを備える。
【００３６】
本発明に係るＰＤＰは、シリコン、ウレタンフォーム及びアクリルのうち少なくともいずれか一つを含むシートと、互いに対向する前記シートと前記下板の対向面との間に形成された少なくとも一つの金属層と、を備え、前記シートの硬度はアスカー(Asker)−Ｃ測定基準１５〜３０であり、前記下板の対向面から前記シートまでの厚さは０.２〜１ｍｍである。
【発明の効果】
【００３７】
本発明は、パネルの下板底面に導電性物質を形成することにより、下板に流入する電荷を適切に調節してパネルの波形安定性を図り、チャージ(charge)特性を改善して安定した動作を実現することができ、これにより残像の時間を短くするという效果がある。また、本発明は、低硬度の軽量化されたシートを用いることにより、ＰＤＰの衝撃及び騷音を吸収し、しかもＰＤＰを軽量化することができ、シートの材料を減らすことができる。
【発明を実施するための最良の形態】
【００３８】
以下、本発明の実施形態を添付面を参照して詳しく説明する。
【００３９】
図３は、本発明の第１実施形態に係るＰＤＰを示す分解斜視図である。
【００４０】
図３を参照すると、本発明の第１実施形態に係るＰＤＰは、上板１１１及び下板１１３からなるパネル部１１０と、パネル部の下板１１３底面に積層される金属層１４１と、金属層１４１の底面に粘着するシート１２０と、金属層１４１とシート１２０を挟んでパネル部１１０と対面するフレーム１３０と、を備える。
【００４１】
金属層１４１は、下板１１３のガラス基板上に導電性ペーストを塗布するか、スパッタリングなどの方法で金属をコーティングすることにより、パネル部１１０の下板底面に形成される。金属層１４１は下板１１３上にフローティング状態に形成される。この金属層１４１は、下板１１３に流入する電荷に影響を及ぼし、パネル部１１０の波形安定性を図り、チャージ(charge)特性を改善して安定した動作を実現する。この金属層１４１をパネル部１１０に形成して電気的にフローティング状態にすると、残像を起こす残留電荷量が減り、その結果、残像が低減される。また、金属層１４１は、残留電荷の放電を誘導すべく基底電圧ＧＮＤに接地しても良い。この時,金属層(141)はプラズマディスプレイパネルに位置した任意の接地端子に連結することにより、基底電圧(GND)に接地することができる。この時、任意の接地端子はプラズマディスプレイパネルの周縁のようなパネルの周辺に位置するように配置することもできる。
【００４２】
シート１２０は、熱抵抗が低く、クッション力があり、金属層と容易に粘着する素材、例えば、粘着性を有するアクリル、シリコン、ウレタンのうち少なくともいずれか一つを含む。このシート１２０は、衝撃と騷音を減らすダンパとしての機能とともに、金属層１４１を経由して伝導されるパネル部１１０の熱をフレーム１３０に伝導する放熱機能を兼ねる。このシート１２０の一例としては、本願出願人によって既出願された大韓民国特許出願第２００２-００３９１７９号に開示されている、シリコンとウレタンフォームを含む多孔質の放熱シートが挙げられる。
【００４３】
フレーム１３０は、高い熱伝導性を有するアルミニウム素材からなる。フレーム１３０は、パネル部１１０、パネル部１１０の周辺部に形成された駆動回路、及び各種回路基板を支持する。前記パネル部１１０の背面とフレーム１３０との間にシート１２０が粘着する。シート１２０は、金属層１４１からフレーム１３０への速やかな熱伝導効果を得るために、粘着性アクリルを含むか、別途のアクリル系粘着剤が形成されていて、金属層１４１とフレーム１３０に高圧力で強固で且つ一様に粘着する。
【００４４】
図４は、本発明の第２実施形態に係るＰＤＰを示す分解斜視図である。
【００４５】
図４を参照すると、本発明の第２実施形態に係るＰＤＰは、上板１１１及び下板１１３からなるパネル部１１０と、パネル部１１０の下板１１３底面に貼り付けられる金属テープ１４７と、金属テープ１４７の底面に粘着するシート１２０と、シート１２０によってパネル部１１０と接着し、シート１２０を介して伝導された熱を放熱させるフレーム１３０と、を備える。
【００４６】
金属テープ１４７は、パネル部１１０及び／またはシート１２０との貼着のために少なくとも一面に接着剤が形成され、その接着剤は伝導性を持つほうが望ましい。この金属テープ１４７は、下板１１３上にフローティング状態に貼り付けられるか、基底電圧ＧＮＤに接地される。
【００４７】
図５は、本発明の第３実施形態に係るＰＤＰを示す。
【００４８】
図５を参照すると、本発明に係るＰＤＰは上板１１１及び下板１１３からなるパネル部１１０と、パネル部１１０の下板１１３底面に積層される金属シート１４３と、金属シート１４３の底面に積層される絶縁性シート１４５と、絶縁性シート１４５の底面に粘着するシート１２０と、シート１２０によってパネル部１１０と接着し、そのシート１２０を介して伝導された熱を放熱させるフレーム１３０と、を備える。
【００４９】
金属シート１４３と絶縁性シート１４５は一体化して用いることができる。この金属シート１４３は、上部下板１１３に流入する残留電荷に影響を及ぼす。この金属シート１４３は、下板１１３上にフローティング状態になっているか、基底電圧ＧＮＤに接地される。
【００５０】
絶縁性シート１４５は、パネル部１１０から発生する電磁波が回路等に影響を及ぼすことを防止する役目をする。
【００５１】
図６は、本発明の第４実施形態に係るＰＤＰを示す。
【００５２】
図６を参照すると、本発明に係るＰＤＰは、上板１１１及び下板１１３からなるパネル部１１０と、パネル部１１０の下板１１３底面に形成される金属膜１４９と、金属膜１４９の底面に粘着するシート１２０と、シート１２０によってパネル部１１０と接着し、そのシート１２０を介して伝導された熱を放熱させるフレーム１３０と、を備える。
金属膜１４９は、スプレー式、印刷式、ペイント式、またはスパッタリング式のうちいずれか一つの方法で下板１１３のガラス基板上に形成され得る。また、この金属膜１４９は、電気的／熱伝導性の高い金属、例えばアルミニウムＡｌ、銅Ｃｕ、または銀Ａｇから形成され得る。
【００５３】
金属膜１４９は、下板１１３上にフローティング状態になっているか、基底電圧ＧＮＤに接地される。
【００５４】
図７は、本発明の第５実施形態に係るＰＤＰ用シートを示す。
【００５５】
図７を参照すると、本発明に係るＰＤＰ用シートは、シリコン、ウレタンフォーム及びアクリルのうち少なくといずれかの一つを含む母材シート２００と、母材シート２００上に積層される金属層２０１と、粘着層２０２と、を備える。
【００５６】
このようなＰＤＰ用シートは、衝撃及び騷音を吸収するダンパ機能を有するために、アスカー(Asker)−Ｃ測定基準硬度が１５〜３０、好ましくは２０〜２５のもので十分な弾性を持つ必要があり、熱伝導率を高くするには熱抵抗が低い必要がある。このために、母材シート２００は、粘着性のある多数の微細孔を持つ多孔質、低熱抵抗、高弾性の素材、例えば、ウレタンフォームとシリコンの組み合わせからなる多孔質素材や、発泡による多孔質構造を持つ粘着性アクリル素材からなり、金属層２０１は、高い熱伝導率を有する金属、例えばアルミニウムＡｌ、銅Ｃｕ、銀Ａｇの金属素材からなる。
【００５７】
また、ＰＤＰ用シートは、ＰＤＰの軽量化と素材コストの低減を目標としてできるだけ薄くする必要がある。
【００５８】
前述した硬度条件と軽量化を同時に満足するために、金属層２０１、粘着層２０２及び母材シート２００を含むシートの全厚は０.２以上１ｍｍ以下、好ましくは０.６mm以上０.９５ｍｍ以下とする。シートの全厚を０.２ｍｍ未満とすると、パネルの騷音及び振動特性が劣化する。そして、金属層２０１の厚さは０.０１ｍｍ以上０.３ｍｍ以下、好ましくは０.０２ｍｍ以上０.０３ｍｍ以下とする。一方、薄膜化技術の発展からみると、現在の製造技術水準で前記シートの全厚を０.９ｍｍ以下とするのには特段の問題はない。
【００５９】
このようにシートの全厚を減らすと、放熱效果が向上し、コストダウンの効果が高い。一例として、実験から、シートの厚さが０.１ｍｍ減ると、ＰＤＰの温度が２℃以上下降し、シートの厚さが１.２ｍｍ〜０.９ｍｍ減ると、シートの素材コストが１０％低減されることが明らかになった。
【００６０】
前述した硬度条件に合わせるために、本発明は、母材シート２００の発泡密度を高めて表面エネルギーを増加させ、孔隙率を向上させて振動／衝撃／騷音に対する母材シート２００のダンパ効果を最適化することができる。
【００６１】
母材シート２００を、図８のように発泡によって微細な孔２０１ａが多数空いた多孔質の粘着性ウレタン素材で製作すると、母材シート２００と金属層２０１は別途の粘着剤なしに粘着する。同様に、母材シートを、発泡処理された粘着性アクリルで製作すると、母材シート２００と金属層２０１は図７のように別の粘着剤なしに粘着する。これに対して、母材シート２００を、シリコンと、シリコンおよびウレタンフォームが組み合わせられた多孔質素材と、発泡処理されたアクリルと、ウレタンフォームとが組み合わせられた素材などで製作した場合には、母材シート２００と金属層２０１とは図９のように粘着剤２０３により粘着する。
【００６２】
金属層２０１上に形成された粘着層２０２は、公知の粘着剤、例えばアクリル系粘着剤からなり、金属層２０１を上記の実施形態で説明されたＰＤＰのパネル部の下板ガラス基板上に粘着させる役割を果す。粘着層２０２上には、汚染を予防し、粘着層２０２との分離に優れた離型紙を形成しても良い。
【００６３】
このようなシートをパネル部の下板ガラス基板上に粘着させる方法を説明すると、本発明は、粘着層２０２上の離型紙を剥離するとともに、圧力及び／または熱を有するラミネート工程で図７のシートをパネル部のガラス基板上に粘着させる。
【００６４】
前記ラミネート工程では、図７に示すシートとパネル部の下板ガラス基板との間の空気層や気泡の入り込みを押さえる。このために、金属層２０１には、図１０ａ及び図１０ｂに示すように、シートとパネル部のラミネート工程においてシートとパネル部との間の空気を排出させるスリット(Slit)２０１ａが多数設けられている。このようなスリット２０１ａは、図１０ａのように一字形、または他の形態、例えば「＋」の形に形成される。また、スリット２０１ａの幅は図１０ｂのように空気移動を考慮して０.０５ｍｍ以上１ｍｍ以下とする。
【００６５】
一方、本発明に係るＰＤＰ用シートは、金属層２０１及び粘着層２０２なしに多孔質の粘着性ウレタンからなる母材シート２００のみで構成され得る。この場合、前述した硬度条件と軽量化を図るために、母材シート２００の厚さは１ｍｍ以下とする。
また、本発明に係るＰＤＰ用シートは、金属層２０１なしにシリコンとウレタンフォームとの組み合わせからなるか、発泡処理されたシリコンまたは発泡処理されたアクリルからなる多孔質の母材シート２００と粘着層２０２との多層シートで製作することができる。この場合、粘着層２０２と母材シート２００の全厚は、前述した硬度条件と軽量化を図るために１ｍｍ以下とする。
【００６６】
また、母材シート２００は、背面ガラス基板を介してパネル部から後方散乱(Back Scattering)される光を吸収し、後方散乱された光がパネル部に反射されて発生する画質のコントラスト低下を抑えるため、白色と黒色の間の色調を呈する。このために、母材シート２００は、カーボン系顔料が加えられてグレーの色調を呈するようになる。
【図面の簡単な説明】
【００６７】
【図１】一般的なプラズマディスプレイパネルを示す図である。
【図２】一般的なプラズマディスプレイパネルを示す図である。
【図３】本発明の第１実施形態に係るプラズマディスプレイパネルを示す図である。
【図４】本発明の第２実施形態に係るプラズマディスプレイパネルを示す図である。
【図５】本発明の第３実施形態に係るプラズマディスプレイパネルを示す図である。
【図６】本発明の第４実施形態に係るプラズマディスプレイパネルを示す図である。
【図７】本発明の第５実施形態に係るプラズマディスプレイパネルのシートを示す断面図である。
【図８】本発明の第６実施形態に係るプラズマディスプレイパネルを示す断面図である。
【図９】本発明の第７実施形態に係るプラズマディスプレイパネルを示す断面図である。
【図１０】図１０ａ及び図１０ｂは本発明に係るプラズマディスプレイパネルにおいて、金属層に設けられたスリットの一例を示す図である。
【図１】
2005202411.tif 000003
【図２】
2005202411.tif 000004
【図３】
2005202411.tif 000005
【図４】
2005202411.tif 000006
【図５】
2005202411.tif 000007
【図６】
2005202411.tif 000008
【図７】
2005202411.tif 000009
【図８】
2005202411.tif 000010
【図９】
2005202411.tif 000011
【図１０】
2005202411.tif 000012